(57)【要約】  パッケージメディアと追加コンテンツとを常に一体的に管理可能とすることで、パッケージメディアに記録されたオリジナル・コンテンツを常に追加コンテンツとともに利用可能とする。Ｂｌｕ−ｒａｙの拡張機能として規定される仮想パッケージ機能を用いた追加コンテンツを管理する。追加コンテンツの管理装置は、例えば記録再生装置１０に適用でき、外部の記憶手段に記憶された追加コンテンツを取得する追加コンテンツ取得手段と、取得した追加コンテンツを所定の記録媒体に記憶する追加コンテンツ記録手段とを有している。ここで、追加コンテンツ記録手段は、データの読み取り専用のＲＯＭ領域２１及びデータの書き込みが随時可能な記録領域２２の両方を備えたハイブリッドのブルーレイディスク（ＢＤ）２０を検出し、そのＢＤ２０の記録領域２２に、追加コンテンツ取得手段が取得した追加コンテンツを記録する。
2009139271.tif 000002
【特許請求の範囲】
【請求項１】
Ｂｌｕ−ｒａｙの拡張機能として規定される仮想パッケージ機能を用いてオリジナル・コンテンツに追加される追加コンテンツの管理装置において、
外部の記憶手段に記憶された前記追加コンテンツを取得する追加コンテンツ取得手段と、
該追加コンテンツ取得手段が取得した追加コンテンツを所定の記録媒体に記録する追加コンテンツ記録手段とを有し、
該追加コンテンツ記録手段は、データの読み取り専用のＲＯＭ領域及びデータの書き込みが随時可能な記録領域の両方を備えたハイブリッド記録媒体を検出し、該検出したハイブリッド記録媒体の前記記録領域に、前記追加コンテンツ取得手段が取得した前記追加コンテンツを記録することを特徴とする追加コンテンツの管理装置。
【請求項２】
請求項１に記載の追加コンテンツの管理装置において、
前記追加コンテンツ記録手段は、前記追加コンテンツを前記ハイブリッド記録媒体の前記記録領域に記録する際に、前記ＲＯＭ領域に記録されているオリジナル・コンテンツに前記追加コンテンツを１対１で対応付けて記録することを特徴とする追加コンテンツの管理装置。
【請求項３】
請求項１または２に記載の追加コンテンツの管理装置において、
前記追加コンテンツ記録手段は、前記追加コンテンツ取得手段が取得した前記追加コンテンツを、所定の一時記憶手段に一時的に記憶し、該一時記憶手段に記憶した追加コンテンツを前記記録領域に移動させることにより、前記記録領域に対する追加コンテンツの記録を行うことを特徴とする追加コンテンツの管理装置。
【請求項４】
請求項１〜３のいずれか１に記載の追加コンテンツの管理装置において、
該追加コンテンツの管理装置は、前記ハイブリッド記録媒体に記録されたオリジナル・コンテンツと追加コンテンツの再生を可能としたコンテンツ再生手段を有し、
該コンテンツ再生手段は、前記ハイブリッド記録媒体に前記追加コンテンツが記録されていることを検出した場合、該追加コンテンツを前記記録媒体から読み出して所定の一時記憶手段に一時的に記憶し、該一時記憶手段に記憶した前記追加コンテンツと、前記ハイブリッド記録媒体に記録されている前記オリジナル・コンテンツとの再生を行うことを特徴とする追加コンテンツの管理装置。
【請求項５】
請求項１〜４のいずれか１に記載の追加コンテンツの管理装置において、
該追加コンテンツの管理装置に装着された外部メモリに記憶されている追加コンテンツを、前記ハイブリッド記録媒体に複写または移動する追加コンテンツ複写／移動手段を有し、
該追加コンテンツ複写／移動手段は、前記複写または移動を指示する指示情報の入力に従って、前記ハイブリッド記録媒体が記録可能に装着されているか否かを検出し、該記録可能なハイブリッド記録媒体を検出した場合には、さらに前記複写または移動が可能な前記追加コンテンツが前記外部メモリ内にあるか否かを検出し、該複写または移動が可能な前記追加コンテンツを前記外部メモリ内に検出した場合には、前記外部メモリに記録された前記追加コンテンツを、前記検出したハイブリッド記録媒体の前記記録領域に対して複写または移動することを特徴とする追加コンテンツの管理装置。
【請求項６】
請求項１〜４のいずれか１に記載の追加コンテンツの管理装置において、
該追加コンテンツの管理装置に装着された外部メモリに記憶されている追加コンテンツを、前記ハイブリッド記録媒体に複写または移動する追加コンテンツ複写／移動手段を有し、
該追加コンテンツ複写／移動手段は、前記ハイブリッド記録媒体が記録可能に装着されているか否かを検出し、該ハイブリッド記録媒体が記録可能に装着されているときに、前記複写または移動を指示する指示情報が入力した場合には、さらに前記複写または移動が可能な前記追加コンテンツが前記外部メモリ内にあるか否かを検出し、該複写または移動が可能な前記追加コンテンツを前記外部メモリ内に検出した場合には、前記外部メモリに記録された前記追加コンテンツを、前記ハイブリッド記録媒体の前記記録領域に対して複写または移動することを特徴とする追加コンテンツの管理装置。
【請求項７】
請求項５または６に記載の追加コンテンツの管理装置において、
前記追加コンテンツ複写／移動手段は、前記追加コンテンツを記録した前記ハイブリッド記録媒体から、前記追加コンテンツを外部メモリに移動または複写できる機能を有し、
前記ハイブリッド記録媒体から外部メモリへの前記追加コンテンツの移動または複写を指示する指示情報が入力した場合、前記管理装置に装着された前記ハイブリッド記録媒体に複写または移動可能な追加コンテンツがあるか否かを検出し、該複写または移動が可能な前記追加コンテンツが前記ハイブリッド記録媒体にあることを検出した場合には、さらに外部メモリが記録可能な状態で装着されているか否かを検出し、前記記録可能な外部メモリを検出した場合には、前記ハイブリッド記録媒体に記録された前記追加コンテンツを、検出した前記記録可能な外部メモリに対して複写または移動することを特徴とする追加コンテンツの管理装置。
【請求項８】
Ｂｌｕ−ｒａｙの拡張機能として規定される仮想パッケージ機能を用いた追加コンテンツの管理方法において、
外部の記憶手段に記憶された前記追加コンテンツを記録再生装置が取得する追加コンテンツ取得ステップと、
該記録生成装置により該追加コンテンツ取得手段が取得した追加コンテンツを所定の記録媒体に記憶する追加コンテンツ記録ステップとを有し、
該追加コンテンツ記録ステップは、データの読み取り専用のＲＯＭ領域及びデータの書き込みが随時可能な記録領域の両方を備えたハイブリッド記録媒体を検出し、該検出したハイブリッド記録媒体の前記記録領域に、前記追加コンテンツ取得手段が取得した前記追加コンテンツを記録することを特徴とする追加コンテンツの管理方法。
【発明の詳細な説明】
【技術分野】
【０００１】
本発明は、追加コンテンツ管理装置及び管理方法に関し、より詳細には、Ｂｌｕ−ｒａｙの拡張機能として規定される仮想パッケージ機能を用いた追加コンテンツを管理する管理装置及び管理方法に関する。
【背景技術】
【０００２】
青紫色半導体レーザを使用する光ディスク規格であるBlu-ray Disc（ブルーレイディスク；ＢＤ）が普及し、ＢＤのパッケージメディア（ＢＤ−ＲＯＭ）を利用できる記録再生装置が提供されている。このようなBlu-rayの規格による拡張機能の１つに、ＢＤ−Ｊ（Blu-ray Java（登録商標））を利用した仮想パッケージ（Virtual Package）機能がある。この仮想パッケージ機能は、パッケージメディアに格納されているオリジナル・コンテンツと、手元の記録媒体に格納した追加コンテンツとを同時に読み出して、あたかも最新状態を保った仮想的な一枚のパッケージメディアを再生しているかのように見せることができるようにするものである。【０００３】
上記のような仮想パッケージ機能を用いることにより、例えば、再生専用であるＢＤ−ＲＯＭのデータを、インターネットやメモリカードのような媒体を介して仮想的に更新することができる。ここでは例えば、オリジナル・コンテンツに対する新たな字幕情報や、音声解説、新着ビデオクリップ、あるいはBlu-ray Java（登録商標）アプリケーションなどの追加コンテンツを、オリジナル・コンテンツが記録されたＢＤ−ＲＯＭをユーザに提供した後に追加・更新することができる。【０００４】
インターネットやメモリカードなどの媒体から提供される追加コンテンツは、記録再生装置（あるいは再生専用装置であってもよい）のローカルストレージに保存される。このため、仮想パッケージの機能に対応するためには、記録再生装置には一定容量以上のローカルストレージ（例えば、ＨＤＤや内蔵メモリ、もしくは外部メモリ等）が必要となる。【０００５】
図１０は、ＢＤ−ＲＯＭの仮想パッケージ機能における従来の追加コンテンツの保存処理を説明するための図である。
記録再生装置１０は、ＢＤ−ＲＯＭ４０の再生機能を有している。ユーザは、ＢＤ−ＲＯＭ４０に予め記録されたオリジナル・コンテンツを記録再生装置１０により再生して楽しむことができる。【０００６】
例えば、記録再生装置１０において、オリジナル・コンテンツを提供するコンテンツプロバイダから、ネットワークを介して追加コンテンツを取得することができる。また、図示しないが追加コンテンツは、上述のように外部記録媒体を介して取得することもできる。このような場合、従来では、追加コンテンツのストレージ先として、記録再生装置１０の内蔵ストレージ（ＨＤＤなど）４１あるいはＳＤカード等の外部メモリ４２が用いられる。【０００７】
そして、記録再生装置１０で取得した追加コンテンツは、オリジナル・コンテンツを記録したＢＤ−ＲＯＭ４０と１対１で対応付けられて管理される。従って、取得した追加コンテンツを利用してオリジナル・コンテンツを再生する場合には、常に、オリジナル・コンテンツを記録したＢＤ−ＲＯＭ４０と１対１で対応付けられて管理されている追加コンテンツを用いなくてはならない。【０００８】
このようなコンテンツファイルと、ローカルストレージに記録するデータの管理に関し、例えば特許文献１では、ディスクに記録されているコンテンツファイルとローカルストレージに記録されているアップデートのファイルを扱う再生装置が開示されている。この再生装置では、ダウンロードされたデータは、Manifest（）セクションのsrc_file_nameのフィールドで指定されるパス名称と、dst_file_nameのフィールドで指定されるパス名称に基づいて、ローカルストレージにおけるパス名称およびファイル名と、仮想ファイルシステムにおけるパス名称およびファイル名のファイルとが異なるものとして取り扱うようにしている。【０００９】
また、特許文献２では、再生装置に装着された記録媒体上のデータの一部を再生装置内部の記録部にコピーし、同期して再生するための技術が開示されている。ここでは、光ディスクには、メインパスを表すPlayItemにより参照されるＡＶ Streamを含むClip1と、サブパスを表すSubPlayItemにより参照されるSubＡＶ Streamを含むClipとが予め記録されている。再生装置においては、光ディスクに記録されているClipを予めローカルストレージにコピーしておき、SubPlayItemが光ディスクのClipではなく、ローカルストレージのClipを参照して読み出すことができるようになされている。そのためには、manifestファイルが生成または更新されて、ローカルストレージに記憶される。
【先行技術文献】
【特許文献】
【００１０】
【特許文献１】特開２００７−２５０１６１号公報
【特許文献２】特開２００７−２５７６８５号公報
【発明の概要】
【発明が解決しようとする課題】
【００１１】
図１１は、従来の仮想パッケージ機能により生じる問題点の一例を説明するための図である。上記のように従来の仮想パッケージ機能では、ＢＤ―ＲＯＭ４０に記録したオリジナル・コンテンツと追加コンテンツとを１対１で対応付けて管理し、かつ追加コンテンツは、内蔵ストレージや外部メモリなどの媒体に記録するようになっている。つまり、オリジナル・コンテンツを記録したＢＤ−ＲＯＭ４０と、追加コンテンツを記録した記録媒体とを常に一緒に使用する必要がある。【００１２】
例えば、図１１（Ａ）に示すように、記録再生装置１０を使用するユーザが、オリジナル・コンテンツを記録したＢＤ−ＲＯＭ４０を所有し、かつそのオリジナル・コンテンツに対する追加コンテンツを、ローカルストレージの１つであるＳＤカードを用いた外部メモリ４２に記録させておいたものとする。
ここで例えば、ユーザが複数の記録再生装置を所有していて、通常使用している記録再生装置１０ではなく、他の記録再生装置１１でオリジナル・コンテンツを再生しようとした場合、ＢＤ−ＲＯＭ４０を他の記録再生装置１１に移動させるとともに、追加コンテンツを記録した外部メモリ４２も他の記録再生装置１１に移動させる必要がある（図１１（B））。
つまり、ＳＤカードのような外部メモリ４２を用いて追加コンテンツを記録した場合には、ユーザは、オリジナル・コンテンツを記録したＢＤ−ＲＯＭ４０とともに、常にその外部メモリ４２もペアにして携行したり移動させたりする必要が生じ、煩雑であるとともに、使い勝手も悪くなる、という問題が生じる。【００１３】
図１２は、従来の仮想パッケージ機能により生じる問題点の他の例を説明するための図である。上記図１１の例では、追加コンテンツを記録するローカルストレージとして、ＳＤカードのような外部メモリ４２を使用したが、本例では、ローカルストレージとして記録再生装置１０の内蔵ストレージ（ＨＤＤ等）４１を使用したものとする。
この場合、図１２（Ａ）に示すように、記録再生装置１０に対して、オリジナル・コンテンツを記録したＢＤ−ＲＯＭ４０を装着すれば、内蔵ストレージ４１の追加コンテンツを使用したオリジナル・コンテンツの再生が可能となる。しかしながら、他の記録再生装置１１でオリジナル・コンテンツを再生しようとした場合には、他の記録再生装置１１には追加コンテンツがないため、追加コンテンツを用いたオリジナル・コンテンツの再生は行うことができない（図１２（Ｂ））。【００１４】
また、上記特許文献１〜２においても、上述したような仮想パッケージ機能におけるローカルストレージの取り扱いに係る問題を解決する技術は開示されていない。【００１５】
本発明は、上述のごとき実情に鑑みてなされたもので、パッケージメディアに記録されたオリジナル・コンテンツと追加コンテンツとを常に一体的に管理可能とすることで、オリジナル・コンテンツを常に追加コンテンツとともに利用可能とすることができるコンテンツ管理装置及びコンテンツ管理方法を提供することを目的とするものである。
【課題を解決するための手段】
【００１６】
上記課題を解決するために、本発明の第１の技術手段は、Ｂｌｕ−ｒａｙの拡張機能として規定される仮想パッケージ機能を用いてオリジナル・コンテンツに追加される追加コンテンツの管理装置において、外部の記憶手段に記憶された追加コンテンツを取得する追加コンテンツ取得手段と、追加コンテンツ取得手段が取得した追加コンテンツを所定の記録媒体に記録する追加コンテンツ記録手段とを有し、追加コンテンツ記録手段は、データの読み取り専用のＲＯＭ領域及びデータの書き込みが随時可能な記録領域の両方を備えたハイブリッド記録媒体を検出し、検出したハイブリッド記録媒体の記録領域に、追加コンテンツ取得手段が取得した追加コンテンツを記録することを特徴としたものである。【００１７】
第２の技術手段は、第１の技術手段において、追加コンテンツ記録手段は、追加コンテンツをハイブリッド記録媒体の記録領域に記録する際に、ＲＯＭ領域に記録されているオリジナル・コンテンツに追加コンテンツを１対１で対応付けて記録することを特徴としたものである。【００１８】
第３の技術手段は、第１または２の技術手段において、追加コンテンツ記録手段は、追加コンテンツ取得手段が取得した追加コンテンツを、所定の一時記憶手段に一時的に記憶し、一時記憶手段に記憶した追加コンテンツを記録領域に移動させることにより、記録領域に対する追加コンテンツの記録を行うことを特徴としたものである。【００１９】
第４の技術手段は、第１〜３のいずれかの技術手段において、追加コンテンツの管理装置は、ハイブリッド記録媒体に記録されたオリジナル・コンテンツと追加コンテンツの再生を可能としたコンテンツ再生手段を有し、コンテンツ再生手段は、ハイブリッド記録媒体に追加コンテンツが記録されていることを検出した場合、追加コンテンツを記録媒体から読み出して所定の一時記憶手段に一時的に記憶し、一時記憶手段に記憶した追加コンテンツと、ハイブリッド記録媒体に記録されているオリジナル・コンテンツとの再生を行うことを特徴としたものである。【００２０】
第５の技術手段は、第１〜４のいずれかの技術手段において、追加コンテンツの管理装置に装着された外部メモリに記憶されている追加コンテンツを、ハイブリッド記録媒体に複写または移動する追加コンテンツ複写／移動手段を有し、追加コンテンツ複写／移動手段は、複写または移動を指示する指示情報の入力に従って、ハイブリッド記録媒体が記録可能に装着されているか否かを検出し、記録可能なハイブリッド記録媒体を検出した場合には、さらに複写または移動が可能な追加コンテンツが外部メモリ内にあるか否かを検出し、複写または移動が可能な追加コンテンツを外部メモリ内に検出した場合には、外部メモリに記録された追加コンテンツを、検出したハイブリッド記録媒体の記録領域に対して複写または移動することを特徴としたものである。【００２１】
第６の技術手段は、第１〜４のいずれかの技術手段において、追加コンテンツの管理装置に装着された外部メモリに記憶されている追加コンテンツを、ハイブリッド記録媒体に複写または移動する追加コンテンツ複写／移動手段を有し、追加コンテンツ複写／移動手段は、ハイブリッド記録媒体が記録可能に装着されているか否かを検出し、ハイブリッド記録媒体が記録可能に装着されているときに、複写または移動を指示する指示情報が入力した場合には、さらに複写または移動が可能な追加コンテンツが外部メモリ内にあるか否かを検出し、複写または移動が可能な追加コンテンツを外部メモリ内に検出した場合には、外部メモリに記録された追加コンテンツを、ハイブリッド記録媒体の記録領域に対して複写または移動することを特徴としたものである。【００２２】
第７の技術手段は、第５または６の技術手段において、追加コンテンツ複写／移動手段は、追加コンテンツを記録したハイブリッド記録媒体から、追加コンテンツを外部メモリに移動または複写できる機能を有し、ハイブリッド記録媒体から外部メモリへの追加コンテンツの移動または複写を指示する指示情報が入力した場合、管理装置に装着されたハイブリッド記録媒体に複写または移動可能な追加コンテンツがあるか否かを検出し、複写または移動が可能な追加コンテンツがハイブリッド記録媒体にあることを検出した場合には、さらに外部メモリが記録可能な状態で装着されているか否かを検出し、記録可能な外部メモリを検出した場合には、ハイブリッド記録媒体に記録された追加コンテンツを、検出した記録可能な外部メモリに対して複写または移動することを特徴としたものである。【００２３】
第８の技術手段は、Ｂｌｕ−ｒａｙの拡張機能として規定される仮想パッケージ機能を用いた追加コンテンツの管理方法において、外部の記憶手段に記憶された追加コンテンツを記録再生装置が取得する追加コンテンツ取得ステップと、記録生成装置により追加コンテンツ取得手段が取得した追加コンテンツを所定の記録媒体に記憶する追加コンテンツ記録ステップとを有し、追加コンテンツ記録ステップは、データの読み取り専用のＲＯＭ領域及びデータの書き込みが随時可能な記録領域の両方を備えたハイブリッド記録媒体を検出し、検出したハイブリッド記録媒体の記録領域に、追加コンテンツ取得手段が取得した追加コンテンツを記録することを特徴としたものである。
【発明の効果】
【００２４】
本発明によれば、パッケージメディアに記録されたオリジナル・コンテンツと追加コンテンツとを常に一体的に管理可能とすることで、オリジナル・コンテンツを常に追加コンテンツとともに利用可能とすることができるようになる。
【図面の簡単な説明】
【００２５】
【図１】本発明によるコンテンツ管理装置の実施形態を概念的に示す図である。
【図２】本発明によるコンテンツ管理装置に使用する記録再生装置の構成例を示すブロック図である。
【図３】本発明のコンテンツ管理装置に適用可能なハイブリッドタイプのＢＤの構成例を説明するための図である。
【図４】本発明のコンテンツ管理方法における追加コンテンツの記録処理の一例を説明するためのフローチャートである。
【図５】本発明のコンテンツ管理方法における追加コンテンツの記録処理の他の例を説明するためのフローチャートである。
【図６】本発明のコンテンツ管理方法におけるコンテンツの再生処理例を説明するためのフローチャートである。
【図７】本発明のコンテンツ管理方法における追加コンテンツのディスクへの移動処理例を説明するためのフローチャートである。
【図８】本発明のコンテンツ管理方法における追加コンテンツのディスクへの移動処理の他の例を説明するためのフローチャートである。
【図９】本発明に係る追加コンテンツの外部メモリへの移動処理の一例を説明するためのフローチャートである。
【図１０】ＢＤ−ＲＯＭの仮想パッケージ機能における従来の追加コンテンツの保存処理を説明するための図である。
【図１１】従来の仮想パッケージ機能により生じる問題点の一例を説明するための図である。
【図１２】従来の仮想パッケージ機能により生じる問題点の他の例を説明するための図である。
【発明を実施するための形態】
【００２６】
図１は、本発明によるコンテンツ管理装置の実施形態を概念的に示す図である。本発明の実施形態では、読取専用領域（ＲＯＭ領域）と、書き込み可能な記録領域（ＲＥ領域）とを備えるディスク媒体（ハイブリッド記録媒体）を用いて、ＢＤ−ＲＯＭ規格の仮想パッケージ機能に対応する追加コンテンツを、オリジナル・コンテンツとともに１つのディスク媒体に記録させるようにする。ディスク媒体としては、上記のようなＲＯＭ領域２１と記録領域２２とを備えるハイブリッドのＢＤ（blu-ray Disc）２０を好適に使用することができる。以下、このようなハイブリッド記録媒体として構成されたＢＤを単にＢＤ２０として説明する。
【００２７】
本発明に係るコンテンツ管理装置は、コンテンツの再生機能と、上記の追加コンテンツをＢＤ２０に記録する記録機能とを備えた記録再生装置１０に適用することができる。記録再生装置１０は、Ｂｌｕ−ｒａｙの拡張機能として規定される仮想パッケージ機能を用いた追加コンテンツを、外部の記憶手段から取得する追加コンテンツ取得手段と、追加コンテンツ取得手段が取得した追加コンテンツを所定の記録媒体であるＢＤ２０に記録する追加コンテンツ記録手段とを有している。
【００２８】
一般的には、オリジナル・コンテンツは、ＢＤ２０のＲＯＭ領域に予め記録され、パッケージメディアとしてユーザに提供される。そして、ユーザがBlu-ray規格の仮想パッケージ機能にてコンテンツを追加する場合、ＢＤ２０の記録領域にその追加コンテンツを記録させる。
【００２９】
記録再生装置１０において、追加コンテンツは、上記のように外部の記憶手段から取得することができる。外部の記憶手段としては、例えばネットワークを介したコンテンツプロバイダ３０のシステムがある。記憶再生装置では、コンテンツプロバイダ３０から追加コンテンツをダウンロードして取得する。あるいは上記の外部の記憶手段として、図示しない外部メモリから追加コンテンツを取得することができる。
【００３０】
記録再生装置１０では、取得した追加コンテンツをＢＤ２０の記録領域に記録する。これにより、オリジナル・コンテンツと追加コンテンツとが、一枚のＢＤ２０内に一対で存在することになり、ユーザが追加コンテンツを管理する必要がなくなる。また、コンテンツをＢＤ２０に記録する際には、コンテンツの著作権を保護するため、ＢＤ規格で採用されているＡＡＣＳ（Advanced Access Content System）による著作権保護技術を用いてコンテンツを記録層に書き込むようにする。
【００３１】
従来の技術では、オリジナル・コンテンツを記録したパッケージメディアと、追加コンテンツとの組み合わせを機器単位もしくは外部メモリ単位にユーザが管理する必要があったが、本発明に係る実施形態では、オリジナル・コンテンツと追加コンテンツとの組み合わせを常に一対にして１つのＢＤ２０により管理することが可能となり、このため、ユーザによる管理が不用となる。また、記録再生装置の物理的破損等によりデータが消失する危険もなくなるというメリットもある。
また、ＢＤ２０は、ディスクに記録された情報を暗号化し、安全に管理することがすでに可能であることと、記録再生装置本体にすでに暗号化する手段が備えられているため、記録再生装置１０側に新たな機能を追加する必要がない、などの利点もあげられる。
【００３２】
図２は、本発明によるコンテンツ管理装置に適用可能な記録再生装置の構成例を示すブロック図である。記録再生装置１０は、光ディスクのデータの読み取り及び書き込みが可能な光ディスクドライブ１０１と、ＨＤＤなどの内蔵ストレージ１０２と、ＳＤカードなどの外部メモリに対してデータの読み書きを行う外部メモリ用スロット１０３とを備えている。外部メモリ用スロット１０３には、カードリーダやＵＳＢ Ｉ／Ｆなどが適用できる。
【００３３】
さらに記録再生装置１０は、ＢＤや内蔵ストレージ１０２、あるいは外部メモリに記録された符号化データをデコードして出力するデコーダ１０４と、デコーダ１０４から出力されたデータ信号をテレビ等の外部機器に対して出力する出力ＩＦ部１０５と、ネットワークを介して外部機器やシステムとの間で通信を行うためのＬＡＮ Ｉ／Ｆなどの通信部１０９と、リモコンから送信されるリモコン信号を受信するリモコン受信部１１０と、ユーザによる操作入力を受け付ける操作部１１１と、装置各部を制御するマイコン１１２と、プログラムやデータの記憶メモリとしてＲＯＭ１０８、ＥＥＰＲＯＭ１０７，ＲＡＭ１０６とを備えている。
【００３４】
本例の構成において、オリジナル・コンテンツを記録したパッケージメディアとして、読取専用のＲＯＭ領域と書き換え可能な記録領域とを備えたハイブリッドタイプ光ディスクであるＢＤ２０を使用する。ＢＤ２０は、そのＲＯＭ領域にオリジナル・コンテンツを予め記録した状態で提供され、ユーザは、記録再生装置１０の光ディスクドライブ１０１にそのＢＤ２０を挿入して再生させることで、記録再生装置１０に接続されるテレビ等で再生コンテンツを視聴することができる。
【００３５】
記録再生装置１０において、Blu-ray規格の仮想パッケージ機能に従うオリジナル・コンテンツの追加パッケージは、コンテンツプロバイダ等からネットワークを介して取得することができる。あるいは、外部メモリ用スロット１０３を介して外部メモリから取得することができる。これらにより本発明のコンテンツ取得手段が実現される。
そして、取得した追加パッケージは、光ディスクドライブ１０１に挿入されたＢＤ２０の記録領域に記録させる。これにより本発明のコンテンツ記録手段が実現される。
【００３６】
ＢＤ２０において、オリジナル・コンテンツと追加コンテンツは、Blu-ray規格に従って１対１に対応付けられて使用可能となる。これにより、追加コンテンツを利用して仮想的に更新されたオリジナル・コンテンツを再生・視聴することが可能になる。そして、本実施形態では、１枚のＢＤ２０にオリジナル・コンテンツとその追加コンテンツとが対応付けられて記録されているため、ユーザによる追加コンテンツの管理が必要なくなり、使い勝手のよいパッケージメディアを作成することができる。
【００３７】
また記録再生装置１０では、外部メモリ用スロット１０３に装着した外部メモリに記憶した追加コンテンツをＢＤ２０に複写または移動し、もしくはＢＤ２０に記憶した追加コンテンツを外部メモリ用スロット１０３に装着した外部メモリに複写または移動させる機能を備えている。これにより本発明のコンテンツ複写／移動手段が実現される。
【００３８】
図３は、本発明のコンテンツ管理装置に適用可能なハイブリッドタイプのＢＤの構成例を説明するための図である。上述したように、本発明に係る実施形態では、ＲＯＭ領域と記録領域とをもつハイブリッドのＢＤを使用して、オリジナル・コンテンツと追加コンテンツとを記録する。
例えば図３（Ａ）に示すように、ＢＤ２０は、記録領域が多層構造により形成され、これら多層の記録層の一部を読取専用のＲＯＭ領域２１とし、残りの一部を書き換え可能な記録領域２２とした構成のものを使用することができる。また図示する記録層は３層構成でそのうちの２層をＲＯＭ領域として使用しているが、４層以上の多層構成のものであってもよい。また、ＲＯＭ領域２１と記録領域２２との位置関係は、図３（Ａ）と逆の関係、つまり表層側に記録領域２２が配置され、その下側にＲＯＭ領域２１が配置されたものであってもよい。
【００３９】
また、ＢＤ２０の他の構成としては、図３（Ｂ）に示すように、単層の記録領域をディスクの径方向に分割して、ＲＯＭ領域２１と記録領域２２とを形成したものであってもよい。また、ＲＯＭ領域２１と記録領域２２との位置関係は、図３（Ｂ）と逆の関係、つまりディスクの内周側に記録領域２２が配置され、その外周側にＲＯＭ領域２１が配置されたものであってもよい。
【００４０】
図４は、本発明に係る追加コンテンツの記録処理の一例を説明するためのフローチャートである。ここでは、記録再生装置１０において、コンテンツプロバイダ等から追加コンテンツをダウンロードし、記録再生装置１０に挿入されたＢＤ２０に対して記録するときの処理例を示している。以下では図２及び図３の構成を参照しながら説明する。
【００４１】
まず、記録再生装置１０では、コンテンツプロバイダなどからオリジナル・コンテンツに対応した追加コンテンツをダウンロードする（ステップＳ１）。そして記録再生装置１０では、挿入されているディスクがハイブリッド対応のディスク（ＢＤ２０）であるかどうかを判別する（ステップＳ２）。ディスクがハイブリッドであるか否かを判別する機構は、記録再生装置１０に備えられているものとする。
【００４２】
ここでディスクがハイブリッド対応であれば、記録再生装置１０では、ダウンロードした追加コンテンツをディスク（ＢＤ２０）の記録領域２２に直接記録する（ステップＳ３）。
一方、ディスクがハイブリッド対応でなければ、記録再生装置１０では、ダウンロードした追加コンテンツを内蔵ストレージ１０２、または外部メモリ用スロット１０３に装着した外部メモリに保存する（ステップＳ４）。
ここでは、記録再生装置１０は、ディスクがハイブリッド対応であるかどうかを判別して、ハイブリッドのディスクであれば、ダウンロードした追加コンテンツをディスクの記録領域２２に記録し、ハイブリッドではない場合には、従来技術と同様に内蔵ストレージまたは外部メモリに追加コンテンツを保存させるようにしている。
【００４３】
図５は、本発明に係る追加コンテンツの記録処理の他の例を説明するためのフローチャートで、記録再生装置１０において、コンテンツプロバイダ等から追加コンテンツをダウンロードし、記録再生装置１０に挿入されたハイブリッドのＢＤに対して記録するときの他の処理例を示している。
【００４４】
まず、記録再生装置１０では、コンテンツプロバイダなどからオリジナル・コンテンツに対応した追加コンテンツをダウンロードする（ステップＳ１１）。そして記録再生装置１０では、挿入されているディスクがハイブリッド対応のディスク（ＢＤ２０）であるかどうかを判別する（ステップＳ１２）。ディスクがハイブリッドであるか否かの判別機構は、記録再生装置１０に備えられているものとする。
【００４５】
ここでディスクがハイブリッド対応であれば、記録再生装置１０では、ダウンロードした追加コンテンツを記録再生装置１０のテンポラリエリアに保存する（ステップＳ１３）。テンポラリエリアは、記録再生装置が内蔵するもしくはアクセス可能な記憶領域であって、本発明の一時記憶手段に相当するものである。テンポラリエリアとしては、例えば図２の例では、ＲＡＭ１０６や内蔵ストレージ１０２を適用することができる。また、外部メモリ用スロット１０３に接続される外部メモリ等であってもよい。そして、テンポラリエリアに一旦保存した追加コンテンツをディスクの記録領域２２に記録する（ステップＳ１４）。
例えば、インターネット経由等により記録再生装置１０に追加コンテンツをダウンロードする場合、予期しない問題等により、追加コンテンツを正常にダウンロードできない可能性もあるため、追加コンテンツを一時的にＲＡＭ１０６や内蔵ストレージ１０２等の別領域に保存した後、ディスクに保存することがより好適である。
【００４６】
一方、ディスクがハイブリッド対応でなければ、記録再生装置１０では、ダウンロードした追加コンテンツを内蔵ストレージ１０２もしくは、外部メモリ用スロット１０３に装着された外部メモリに保存する（ステップＳ１５）。
ここでは、記録再生装置１０は、ディスクがハイブリッド対応であるかどうかを判別して、ハイブリッドのディスクであれば、ダウンロードした追加コンテンツを一時的にテンポラリエリアに保存した後ディスクの記録領域２２に記録し、ハイブリッドではない場合には、従来技術と同様に内蔵ストレージまたは外部メモリに追加コンテンツを保存させるようにしている。
【００４７】
図６は、本発明に係るコンテンツの再生処理の一例を説明するためのフローチャートである。ディスク（ＢＤ２０）に記録されたオリジナル・コンテンツと追加コンテンツとを使用して、記録再生装置１０で再生を行う場合、オリジナル・コンテンツと追加コンテンツとは、ＢＤ２０内の異なる領域（ＲＯＭ領域２１、記録領域２２）に記録されているため、光ディスクドライブ１０１におけるデータの読み出しが再生処理に間に合わなくなる可能性がある。これに対処するために、パッケージメディアのディスクに追加コンテンツが記録されている場合には、再生が破綻しないように、追加コンテンツをテンポラリエリアに読み出してから再生を行うようにする。
【００４８】
ここではまず、ユーザは、ディスク（ＢＤ２０）に記録したコンテンツを再生するために記録再生装置１０にディスクを挿入する（ステップＳ２１）。そして記録再生装置１０では、挿入されたディスクがハイブリッド対応のディスクであるかどうかを判別する（ステップＳ２２）。ディスクがハイブリッドであるか否かを判別する機構は、記録再生装置１０に備えられているものとする。
【００４９】
ここでディスクがハイブリッド対応であれば、記録再生装置１０では、ディスクにおける追加コンテンツの有無を確認する。そしてディスク内の追加コンテンツをテンポラリエリアに事前に読み出しておく（ステップＳ２４）。テンポラリエリアは、記録再生装置が内蔵するもしくはアクセス可能な記憶領域であって、本発明の一時記憶手段に相当するものである。テンポラリエリアとしては、例えば図２の例では、ＲＡＭ１０６や内蔵ストレージ１０２を適用することができる。また場合によっては、外部メモリ用スロット１０３に接続される外部ストレージ等であってもよい。
追加コンテンツをディスクからテンポラリエリアに読み出すタイミングとしては、記録再生装置１０でディスクの挿入時にそのディスクのチェックを行い、追加コンテンツの有無が判別でき次第、読み出しを行うようにする。そして、テンポラリエリアに一時的に保存した追加コンテンツを使用して、ディスクに記録されているオリジナル・コンテンツの再生処理を実行する（ステップＳ２５）。
【００５０】
一方、ディスクがハイブリッド対応でなければ、記録再生装置１０では、内蔵ストレージ及び外部メモリにおける追加コンテンツの有無を確認する（ステップＳ２６）。図２の例では、ＲＡＭ１０６や内蔵ストレージ１０２、および外部メモリ用スロット１０３に接続される外部メモリの追加コンテンツを確認する。そして確認した追加コンテンツを使用して、ディスクに記録されているオリジナル・コンテンツの再生処理を実行する（ステップＳ２５）。ここでステップＳ２６の処理は、従来と同じ処理である。
なお、テンポラリエリアに読み出した追加コンテンツは、ディスクのイジェクト時など、追加コンテンツが不用になった時点で削除する。
【００５１】
図７は、本発明のコンテンツ管理方法における追加コンテンツのディスクへの移動処理例を説明するためのフローチャートである。
ここでは、ハイブリッドディスクに対応していない記録再生装置において、外部メモリに保存した追加コンテンツを、ハイブリッドディスク対応の記録再生装置でハイブリッドディスクの記録領域２２に複写または移動させる。この場合、著作権上、コピー（複写）が許されないコンテンツの場合には移動（ムーブ）処理となり、コピーが許される場合には、複写処理を実行する。ここでは、ユーザが任意に複写処理を指示する場合について説明する。
【００５２】
まず、ユーザは、外部メモリに記録してある追加コンテンツをディスク（ＢＤ２０）に複写（コピー）するために、ハイブリッドディスク対応の記録再生装置１０に上記外部メモリを装着し、かつオリジナル・コンテンツを記録したディスクを記録再生装置に挿入して、追加コンテンツの複写を指示する（ステップＳ３１）。
そして、記録再生装置１０では、挿入されたディスクがハイブリッド対応のディスクであるかどうかを判別する（ステップＳ３２）。ディスクがハイブリッドであるか否かを判別する機構は、記録再生装置１０に備えられているものとする。
【００５３】
ここでディスクがハイブリッド対応であれば、記録再生装置１０では、挿入されているディスクと、外部メモリの追加コンテンツを参照する（ステップＳ３３）。そしてこの参照により複写可能な追加コンテンツを検出した場合（ステップＳ３４−ＹＥＳ）、その追加コンテンツをディスクにコピーする（ステップＳ３５）。なお、追加コンテンツが著作権上複写不可で、追加コンテンツの移動を行う場合には、外部メモリの元データを削除して移動を行う（ステップＳ３６）。
一方、ステップＳ３２でディスクがハイブリッド対応ではない場合、またはステップＳ３４で複写可能な追加コンテンツを検出しなかった場合には、処理を終了する。
【００５４】
図８は、本発明に係る追加コンテンツのディスクへの移動処理の他の例を説明するためのフローチャートである。
図８の例では、図７の例と異なり、ユーザが追加コンテンツの複写の指示を行う前に、記録再生装置１０が事前にハイブリッドディスク対応か否かを検出するようにしたものである。
【００５５】
ここではまず、記録再生装置１０では、挿入されたディスクがハイブリッド対応のディスクであるかどうかを判別する（ステップＳ４１）。ディスクがハイブリッドであるか否かを判別する機構は、記録再生装置１０に備えられているものとする。
そしてディスクがハイブリッド対応であれば、ユーザは、外部メモリに記録してある追加コンテンツをディスクにコピーするために、ハイブリッドディスク対応の記録再生装置１０に上記外部メモリを装着し、追加コンテンツの複写（コピー）を指示する（ステップＳ４２）。
【００５６】
そして、記録再生装置１０では、挿入されているディスクと、外部メモリの追加コンテンツを参照する（ステップＳ４３）。そしてこの参照により複写可能な追加コンテンツを検出した場合（ステップＳ４４−ＹＥＳ）、その追加コンテンツをディスクに複写する（ステップＳ４５）。なお、追加コンテンツが著作権上複写不可で、追加コンテンツの移動を行う場合には、外部メモリの元データを削除して移動を行う（ステップＳ４６）。
一方、ステップＳ４１でディスクがハイブリッド対応ではない場合、またはステップＳ４４でコピー可能な追加コンテンツを検出しなかった場合には、処理を終了する。
【００５７】
図９は、本発明に係る追加コンテンツの外部メモリへの移動処理の一例を説明するためのフローチャートである。
ここでは、ハイブリッドディスクに対応していない記録再生装置において、内蔵ストレージにダウンロードして保存した追加コンテンツを、外部メモリに移動または複写する。この場合、著作権上、複写が許されないコンテンツの場合には移動（ムーブ）処理となり、複写が許される場合には、複写処理を実行する。
【００５８】
まず、ユーザは、ハイブリッドディスクに対応していない記録再生装置の内蔵ストレージに記録してある追加コンテンツを外部メモリに複写するために、追加コンテンツの複写を指示する（ステップＳ５１）。
そして、記録再生装置１０では、内蔵ストレージからコピー可能な追加コンテンツを検出する（ステップＳ５２）。コピー可能な追加コンテンツが検出された場合には、さらに、外部メモリが装着されているかどうかを判別する（ステップＳ５３）。
【００５９】
ここで外部メモリがあれば、記録再生装置１０では、内蔵ストレージに記憶している追加コンテンツを外部メモリへコピーする（ステップＳ５４）。なお、追加コンテンツが著作権上複写不可で、追加コンテンツの移動を行う場合には、内蔵ストレージの元データを削除して移動を行う（ステップＳ５５）。
一方、ステップＳ５２で複写可能な追加コンテンツを検出しなかった場合、もしくはステップＳ５３で外部メモリが装着されていなかった場合には処理を終了する。
【符号の説明】
【００６０】
１０…記録再生装置、１１…記録再生装置、２０…ＢＤ、２１…ＲＯＭ領域、２２…記録領域、３０…コンテンツプロバイダ、４０…ＢＤ−ＲＯＭ、４１…内蔵ストレージ、４２…外部メモリ、１０１…光ディスクドライブ、１０２…内蔵ストレージ、１０３…外部メモリ用スロット、１０４…デコーダ、１０５…出力ＩＦ部、１０６…ＲＡＭ、１０７…ＥＥＰＲＯＭ、１０８…ＲＯＭ、１０９…通信部、１１０…リモコン受信部、１１１…操作部、１１２…マイコン。
【図１】
2009139271.tif 000003
【図２】
2009139271.tif 000004
【図３】
2009139271.tif 000005
【図４】
2009139271.tif 000006
【図５】
2009139271.tif 000007
【図６】
2009139271.tif 000008
【図７】
2009139271.tif 000009
【図８】
2009139271.tif 000010
【図９】
2009139271.tif 000011
【図１０】
2009139271.tif 000012
【図１１】
2009139271.tif 000013
【図１２】
2009139271.tif 000014
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
Ｂｌｕ−ｒａｙの拡張機能として規定される仮想パッケージ機能を用いてオリジナル・コンテンツに追加される追加コンテンツの管理装置において、
外部の記憶手段に記憶された前記追加コンテンツを取得する追加コンテンツ取得手段と、
該追加コンテンツ取得手段が取得した追加コンテンツを所定の記録媒体に記録する追加コンテンツ記録手段とを有し、
該追加コンテンツ記録手段は、データの読み取り専用のＲＯＭ領域及びデータの書き込みが随時可能な記録領域の両方を備えたハイブリッド記録媒体を検出する動作を行い、
前記ハイブリッド記録媒体が検出された場合には、該検出したハイブリッド記録媒体の前記記録領域に、前記追加コンテンツ取得手段が取得した前記追加コンテンツを記録し、
前記ハイブリッド記録媒体が検出されなかった場合には、前記コンテンツ管理装置が内蔵する、もしくは前記コンテンツ管理装置に装着された一時記憶手段に前記追加コンテンツを記録することを特徴とする追加コンテンツの管理装置。
【請求項２】
請求項１に記載の追加コンテンツの管理装置において、
前記追加コンテンツ記録手段は、前記追加コンテンツを前記ハイブリッド記録媒体の前記記録領域に記録する際に、前記ＲＯＭ領域に記録されているオリジナル・コンテンツに前記追加コンテンツを１対１で対応付けて記録することを特徴とする追加コンテンツの管理装置。
【請求項３】
請求項１または２に記載の追加コンテンツの管理装置において、
前記追加コンテンツ記録手段は、前記追加コンテンツ取得手段が取得した前記追加コンテンツを、所定の一時記憶手段に一時的に記憶し、該一時記憶手段に記憶した追加コンテンツを前記記録領域に移動させることにより、前記記録領域に対する追加コンテンツの記録を行うことを特徴とする追加コンテンツの管理装置。
【請求項４】
請求項１〜３のいずれか１に記載の追加コンテンツの管理装置において、
該追加コンテンツの管理装置は、前記ハイブリッド記録媒体に記録されたオリジナル・コンテンツと追加コンテンツの再生を可能としたコンテンツ再生手段を有し、
該コンテンツ再生手段は、前記ハイブリッド記録媒体に前記追加コンテンツが記録されていることを検出した場合、該追加コンテンツを前記記録媒体から読み出して所定の一時記憶手段に一時的に記憶し、該一時記憶手段に記憶した前記追加コンテンツと、前記ハイブリッド記録媒体に記録されている前記オリジナル・コンテンツとの再生を行うことを特徴とする追加コンテンツの管理装置。
【請求項５】
請求項１〜４のいずれか１に記載の追加コンテンツの管理装置において、
該追加コンテンツの管理装置に装着された外部メモリに記憶されている追加コンテンツを、前記ハイブリッド記録媒体に複写または移動する追加コンテンツ複写／移動手段を有し、
該追加コンテンツ複写／移動手段は、前記複写または移動を指示する指示情報の入力に従って、前記ハイブリッド記録媒体が記録可能に装着されているか否かを検出し、該記録可能なハイブリッド記録媒体を検出した場合には、さらに前記複写または移動が可能な前記追加コンテンツが前記外部メモリ内にあるか否かを検出し、該複写または移動が可能な前記追加コンテンツを前記外部メモリ内に検出した場合には、前記外部メモリに記録された前記追加コンテンツを、前記検出したハイブリッド記録媒体の前記記録領域に対して複写または移動し、
前記追加コンテンツを前記ハイブリッド記録媒体の前記記録領域に複写または移動した後、前記ＲＯＭ領域に記録されているオリジナル・コンテンツと前記追加コンテンツとが１対１に対応付けされることを特徴とする追加コンテンツの管理装置。
【請求項６】
請求項１〜４のいずれか１に記載の追加コンテンツの管理装置において、
該追加コンテンツの管理装置に装着された外部メモリに記憶されている追加コンテンツを、前記ハイブリッド記録媒体に複写または移動する追加コンテンツ複写／移動手段を有し、
該追加コンテンツ複写／移動手段は、前記ハイブリッド記録媒体が記録可能に装着されているか否かを検出し、該ハイブリッド記録媒体が記録可能に装着されているときに、前記複写または移動を指示する指示情報が入力した場合には、さらに前記複写または移動が可能な前記追加コンテンツが前記外部メモリ内にあるか否かを検出し、該複写または移動が可能な前記追加コンテンツを前記外部メモリ内に検出した場合には、前記外部メモリに記録された前記追加コンテンツを、前記ハイブリッド記録媒体の前記記録領域に対して複写または移動し、
前記追加コンテンツを前記ハイブリッド記録媒体の前記記録領域に複写または移動した後、前記ＲＯＭ領域に記録されているオリジナル・コンテンツと前記追加コンテンツとが１対１に対応付けされることを特徴とする追加コンテンツの管理装置。
【請求項７】
請求項５または６に記載の追加コンテンツの管理装置において、
前記追加コンテンツ複写／移動手段は、前記追加コンテンツを記録した前記ハイブリッド記録媒体から、前記追加コンテンツを外部メモリに移動または複写できる機能を有し、
前記ハイブリッド記録媒体から外部メモリへの前記追加コンテンツの移動または複写を指示する指示情報が入力した場合、前記管理装置に装着された前記ハイブリッド記録媒体に複写または移動可能な追加コンテンツがあるか否かを検出し、該複写または移動が可能な前記追加コンテンツが前記ハイブリッド記録媒体にあることを検出した場合には、さらに外部メモリが記録可能な状態で装着されているか否かを検出し、前記記録可能な外部メモリを検出した場合には、前記ハイブリッド記録媒体に記録された前記追加コンテンツを、検出した前記記録可能な外部メモリに対して複写または移動することを特徴とする追加コンテンツの管理装置。
【請求項８】
Ｂｌｕ−ｒａｙの拡張機能として規定される仮想パッケージ機能を用いた追加コンテンツの管理方法において、
外部の記憶手段に記憶された前記追加コンテンツを記録再生装置が取得する追加コンテンツ取得ステップと、
該記録生成装置により該追加コンテンツ取得手段が取得した追加コンテンツを所定の記録媒体に記憶する追加コンテンツ記録ステップとを有し、
該追加コンテンツ記録ステップは、データの読み取り専用のＲＯＭ領域及びデータの書き込みが随時可能な記録領域の両方を備えたハイブリッド記録媒体を検出し、該検出したハイブリッド記録媒体の前記記録領域に、前記追加コンテンツ取得手段が取得した前記追加コンテンツを記録することを特徴とする追加コンテンツの管理方法。
【手続補正２】
【補正対象書類名】明細書
【補正対象項目名】０００５
【補正方法】変更
【補正の内容】
【０００５】
もに利用可能とすることができるコンテンツ管理装置及びコンテンツ管理方法を提供することを目的とするものである。
課題を解決するための手段
［００１６］
上記課題を解決するために、本発明の第１の技術手段は、Ｂｌｕ−ｒａｙの拡張機能として規定される仮想パッケージ機能を用いてオリジナル・コンテンツに追加される追加コンテンツの管理装置において、外部の記憶手段に記憶された追加コンテンツを取得する追加コンテンツ取得手段と、追加コンテンツ取得手段が取得した追加コンテンツを所定の記録媒体に記録する追加コンテンツ記録手段とを有し、追加コンテンツ記録手段は、データの読み取り専用のＲＯＭ領域及びデータの書き込みが随時可能な記録領域の両方を備えたハイブリッド記録媒体を検出する動作を行い、ハイブリッド記録媒体が検出された場合には、検出したハイブリッド記録媒体の記録領域に、追加コンテンツ取得手段が取得した追加コンテンツを記録し、ハイブリッド記録媒体が検出されなかった場合には、コンテンツ管理装置が内蔵する、もしくはコンテンツ管理装置に装着された一時記憶手段に追加コンテンツを記録することを特徴としたものである。
［００１７］
第２の技術手段は、第１の技術手段において、追加コンテンツ記録手段は、追加コンテンツをハイブリッド記録媒体の記録領域に記録する際に、ＲＯＭ領域に記録されているオリジナル・コンテンツに追加コンテンツを１対１で対応付けて記録することを特徴としたものである。
［００１８］
第３の技術手段は、第１または２の技術手段において、追加コンテンツ記録手段は、追加コンテンツ取得手段が取得した追加コンテンツを、所定の一時記憶手段に一時的に記憶し、一時記憶手段に記憶した追加コンテンツを記録領域に移動させることにより、記録領域に対する追加コンテンツの記録を行うことを特徴としたものである。
［００１９］
第４の技術手段は、第１〜３のいずれかの技術手段において、追加コンテンツの管理装置は、ハイブリッド記録媒体に記録されたオリジナル・コンテンツと追加コンテンツの再生を可能としたコンテンツ再生手段を有し、コンテンツ再生手段は、ハイブリッド記録媒体に追加コンテンツが記録されていることを検出した場合、追加コンテンツを記録媒体から読み出して所定の一時記憶手段に一時的に記憶し、一時記憶手段に記憶した追加コンテンツと、
【手続補正３】
【補正対象書類名】明細書
【補正対象項目名】０００６
【補正方法】変更
【補正の内容】
【０００６】
ハイブリッド記録媒体に記録されているオリジナル・コンテンツとの再生を行うことを特徴としたものである。
［００２０］
第５の技術手段は、第１〜４のいずれかの技術手段において、追加コンテンツの管理装置に装着された外部メモリに記憶されている追加コンテンツを、ハイブリッド記録媒体に複写または移動する追加コンテンツ複写／移動手段を有し、追加コンテンツ複写／移動手段は、複写または移動を指示する指示情報の入力に従って、ハイブリッド記録媒体が記録可能に装着されているか否かを検出し、記録可能なハイブリッド記録媒体を検出した場合には、さらに複写または移動が可能な追加コンテンツが外部メモリ内にあるか否かを検出し、複写または移動が可能な追加コンテンツを外部メモリ内に検出した場合には、外部メモリに記録された追加コンテンツを、検出したハイブリッド記録媒体の記録領域に対して複写または移動し、追加コンテンツをハイブリッド記録媒体の記録領域に複写または移動した後、ＲＯＭ領域に記録されているオリジナル・コンテンツと追加コンテンツとが１対１に対応付けされることを特徴としたものである。
［００２１］
第６の技術手段は、第１〜４のいずれかの技術手段において、追加コンテンツの管理装置に装着された外部メモリに記憶されている追加コンテンツを、ハイブリッド記録媒体に複写または移動する追加コンテンツ複写／移動手段を有し、追加コンテンツ複写／移動手段は、ハイブリッド記録媒体が記録可能に装着されているか否かを検出し、ハイブリッド記録媒体が記録可能に装着されているときに、複写または移動を指示する指示情報が入力した場合には、さらに複写または移動が可能な追加コンテンツが外部メモリ内にあるか否かを検出し、複写または移動が可能な追加コンテンツを外部メモリ内に検出した場合には、外部メモリに記録された追加コンテンツを、ハイブリッド記録媒体の記録領域に対して複写または移動し、追加コンテンツをハイブリッド記録媒体の記録領域に複写または移動した後、ＲＯＭ領域に記録されているオリジナル・コンテンツと追加コンテンツとが１対１に対応付けされることを特徴としたものである。
［００２２］
第７の技術手段は、第５または６の技術手段において、追加コンテンツ複写／移動手段は、追加コンテンツを記録したハイブリッド記録媒体から、追加コンテンツを外部メモリに移動または複写できる機能を有し、ハイブリッド記録媒体から外部メモリへの追加コンテンツの移動または複写を指示する
【国際調査報告】
2009139271.tif 000015
2009139271.tif 000016
2009139271.tif 000017
2009139271.tif 000018